(57)【要約】  【課題】本発明は、簡単な構造でありながら、衣服のベルト通しに容易に着脱することのできる装着具を提供することにある。  【解決手段】筒状の本体部と、当該本体部の表面に設けられる装飾部とを備え、本体部には、本体部の長さ方向両端開口部および本体部の内部に連通するスリット状の装着用開口部が形成されており、装着用開口部が、本体部の長さ方向両端部分に形成される開口幅の狭い一対の狭幅部と、本体部の長さ方向中央部分に形成される開口幅の広い広幅部とから構成されており、一対の狭幅部が、本体部の長さ方向に対して所定の角度で傾斜して形成されていることを特徴とするものである。  【選択図】図１
2008161454.tif 000002
【特許請求の範囲】
【請求項１】
筒状の本体部と、当該本体部の表面に設けられる装飾部とを備え、
本体部には、本体部の長さ方向両端開口部および本体部の内部に連通するスリット状の装着用開口部が形成されており、
装着用開口部が、本体部の長さ方向両端部分に形成される開口幅の狭い一対の狭幅部と、本体部の長さ方向中央部分に形成される開口幅の広い広幅部とから構成されており、
一対の狭幅部が、本体部の長さ方向に対して所定の角度で傾斜して形成されていることを特徴とする装飾具。
【請求項２】
一対の狭幅部が、ほぼ平行に形成されていることを特徴とする請求項１記載の装飾具。
【請求項３】
本体部が、衣服のベルト通しのベルト挿通部分とほぼ同じ長さを有していることを特徴とする請求項１または２記載の装飾具。
【発明の詳細な説明】
【技術分野】
【０００１】
本発明は、衣服やファッション小物等に着脱可能に取り付けられる装飾具に関するもので、特に、衣服のベルト通しに取り付けられる装飾具に関するものである。
【背景技術】
【０００２】
本願発明者は、衣服のベルト通しに取り付けられる装飾具として、略楕円筒状に形成された本体部と、本体部の表面に設けられた装飾部とを備え、本体部の長さ方向に平行に開口するスリット状の装着用開口部が形成されており、装着用開口部が、本体部の長さ方向両端部分において開口幅が狭く、本体部の長さ方向中間部分において開口幅が広くなるように形成されているものを既に提案している（例えば特許文献１参照）。
【０００３】
上記提案の装飾具は、本体部の長さ方向両端部分の開口幅を狭くして、本体部の長さ方向中間部分において開口幅を広くすることにより、本体部を軽量化できる上、ベルト通しに対して容易に着脱できるという優れた利点がある。
しかしながら、ベルト通しは、その両端部が衣服本体に固定されているため、上記装飾具を取り付けるときに、ベルト通しのベルト挿通部分をつまむと、ベルト通しの両端部からつまんだ部分にかけて斜めにねじれてしまう。一方、上記装飾具は、装着用開口部が本体部の長さ方向に平行に開口している。そのため、この装飾具をベルト通しに着脱するときに、ベルト通しのベルト挿通部分をつまんで、ベルト通しの厚み面を装着用開口部に対向させようとしても、ベルト通しのねじれ方向と装着用開口部の開口方向とが異なるため、ベルト通しと装着用開口部とを一致させにくく、ベルト通しを装着用開口部にスムーズに出し入れしにくい場合がある。
【特許文献１】特願２００５−２５６０２４号公報
【発明の開示】
【発明が解決しようとする課題】
【０００４】
本発明は、上記問題点に鑑みてなされたものであって、その目的とするところは、簡単な構造でありながら、衣服のベルト通しに容易に着脱することのできる装着具を提供することにある。
【課題を解決するための手段】
【０００５】
上記目的を達成するために、請求項1記載の発明は、筒状の本体部と、当該本体部の表面に設けられる装飾部とを備え、本体部には、本体部の長さ方向両端開口部および本体部の内部に連通するスリット状の装着用開口部が形成されており、装着用開口部が、本体部の長さ方向両端部分に形成される開口幅の狭い一対の狭幅部と、本体部の長さ方向中央部分に形成される開口幅の広い広幅部とから構成されており、一対の狭幅部が、本体部の長さ方向に対して所定の角度で傾斜して形成されていることを特徴とするものである。
【０００６】
請求項２記載の発明は、請求項１記載の発明において、一対の狭幅部が、ほぼ平行に形成されていることを特徴とするものである。
【０００７】
請求項３記載の発明は、請求項１または２記載の発明において、本体部が、衣服のベルト通しのベルト挿通部分とほぼ同じ長さを有していることを特徴とするものである。
【発明の効果】
【０００８】
請求項１記載の発明によれば、本体部に形成されているスリット状の装着用開口部が、本体部の長さ方向両端部分に形成される開口幅の狭い一対の狭幅部と、本体部の長さ方向中央部分に形成される開口幅の広い広幅部とから構成されており、一対の狭幅部が、本体部の長さ方向に対して所定の角度で傾斜して形成されているので、ベルト通しを狭幅部に挿入するために、ベルト通しのベルト挿通部分をつまんでねじったときのベルト通しのねじれ方向に、装着用開口部の狭幅部の開口方向を一致させやすく、ベルト通しを装着用開口部に出し入れしやすい。
【０００９】
請求項２記載の発明によれば、請求項１記載の発明において、一対の狭幅部が、ほぼ平行に形成されているので、何らかの外力が加わって、ベルト通しがねじれた場合でも、一方の狭幅部が、ベルト通しのねじれ方向と反対方向に傾斜しているため、装飾具がベルト通しから抜け落ちるのを防止することができる。
【００１０】
請求項３記載の発明によれば、請求項１または２記載の発明において、本体部が、衣服のベルト通しのベルト挿通部分とほぼ同じ長さを有しているので、ベルト通しのベルト挿通部分全体を広範囲に装飾することができる。また、本発明によれば、ベルト通しに装着したときに、装飾具とベルト通しとの一体感が得られる上、装飾具の荷重がベルト通しの広い範囲に分散してかかるため、ベルト通しの損傷を防ぐこともできる。
【発明を実施するための最良の形態】
【００１１】
以下、本発明にかかる装飾具の第１の実施形態について詳細に説明する。本実施形態の装飾具１ａは、金属製で、図１から図３に示すように、略筒状の本体部２ａと、本体部２ａの表面に設けられる装飾部３ａとから構成されている。
【００１２】
本体部２ａは、図１から図３に示すように、前面部２１と、前面部２１に対して所定距離離間させて対向配置される背面部２２と、前面部２１と背面部２２の幅方向両端部に連接する左右両側面部２３，２４とから構成されている。
前面部２１には、装飾部３ａが刻設されており、背面部２２には、本体部２ａの長さ方向両端開口部および本体部２ａの内部に連通するスリット状の装着用開口部４が形成されている。
【００１３】
背面部２２の長さ方向一端側には、図１に示すように、第１の突出部２５と第２の突出部２６とが形成されている。また、背面部２２の長さ方向他端側には、長さ方向一端側とは配置を左右逆にして、第２の突出部２６と第１の突出部２５とが形成されている。そして、第１の突出部２５の端面２７と第２の突出部２６の端面２８は、所定間隔をあけてほぼ平行かつ本体部２ａの長さ方向に対して約２４度同じ方向に傾斜している。
その結果、装着用開口部４は、本体部２ａの長さ方向両端部分に形成される一対の狭幅部４１，４１と、本体部２ａの長さ方向中央部分に形成される広幅部４２とから構成される。具体的には、一対の狭幅部４１，４１は、第１の突出部２５と第２の突出部２６との間に、ほぼ平行かつ本体部２ａの長さ方向に対して約２４度傾斜して開口しており、広幅部４２は、狭幅部４１，４１の間に、狭幅部４１，４１よりも広い幅で、本体部２ａの長さ方向に平行に開口している。
【００１４】
さらに、第１の突出部２５は、広幅部４２を臨む端面２９から広幅部４２の幅方向中心線Ｌに向かって略直角に張り出しており、第１の突出部２５の先端部２５０は、広幅部４２の幅方向中心線Ｌに到達している。
【００１５】
また、第１の突出部２５と第２の突出部２６は、その端縁部が角張らずに曲線的に形成されている。
【００１６】
さらに、本体部２ａは、図４に示すように、衣服のウエスト部に設けられているベルト通しＴのベルト挿通部分と略同じ長さを有しており、本体部２ａの内部には、ベルト通しＴを挿通可能な空間が形成されている。
【００１７】
ところで、装飾具１ａの製造方法としては、特に限定されないが、例えば、本体部２ａを鋳造した後、本体部２ａの前面部２１にレーザービームや切削機器などにより装飾部３ａを形成する方法が挙げられる。
【００１８】
そして、本実施形態の装飾具１ａをベルト通しＴに取り付けるには、まず、装飾具１ａの背面部２２をベルト通しＴに対向配置させる。次に、図５（ａ）に示すように、ベルト通しＴのベルト挿通部分をつまんで一方の狭幅部４１の開口方向にねじって、ベルト通しＴのねじれ方向を一方の狭幅部４１の開口方向に一致させ、一方の狭幅部４１にベルト通しＴを挿通させる。その後、図５（ｂ）に示すように、ベルト通しＴを反対方向にねじって、ベルト通しＴのねじれ方向と装飾具１ａの他方の狭幅部４１の開口方向とを一致させ、ベルト通しＴを他方の狭幅部４１に挿通させる。
【００１９】
以上詳述した通り、本実施形態の装飾具１ａによれば、装着用開口部４が、本体部２ａの長さ方向両端部分に形成される開口幅の狭い一対の狭幅部４１，４１と、本体部２ａの長さ方向中央部分に形成される開口幅の広い広幅部４２とから構成されており、一対の狭幅部４１，４１が、本体部２ａの長さ方向に対して約２４度同じ方向に傾斜してほぼ平行に形成されているので、ベルト通しＴを狭幅部４１，４１に挿通させるときに、ベルト通しＴのベルト挿通部分をつまんでねじったときのベルト通しＴのねじれ方向に、狭幅部４１，４１の開口方向を一致させやすく、ベルト通しＴを装着用開口部４に出し入れしやすい。
【００２０】
その上、ベルト通しＴに装着した装飾具１ａに外力が加わって、図５（ａ）又は図５（ｂ）に示すように、ベルト通しＴがねじれた場合であっても、狭幅部４１，４１のいずれか一方が、ベルト通しＴのねじれ方向と反対方向に傾斜しているため、装飾具１ａがベルト通しＴから脱落するのを効果的に防止することができる。
【００２１】
また、第１の突出部２５，２５は、それぞれ広幅部４２の幅方向中心線Ｌまで互いに向かい合うように延びているので、装飾具１ａがベルト通しＴから脱落するのをさらに効果的に防止することができる。
【００２２】
さらに、第１の突出部２５と第２の突出部２６は、その端縁部が角張らずに曲線的に形成されているので、ベルト通しＴを狭幅部４１内にスムーズに案内することができる。
【００２３】
また、本体部２ａが、ベルト通しＴのベルト挿通部分とほぼ同じ長さを有しているので、ベルト通しＴのベルト挿通部分全体を広範囲に装飾することができる。また、装飾具１ａをベルト通しＴに装着したときに、装飾具１ａの荷重がベルト通しＴのベルト挿通部分全体に広く分散してかかるため、ベルト通しＴの損傷を防ぐこともできる。
【００２４】
また、装飾部３ａが、本体部２ａの前面部２１に直接刻設されているので、装飾具１ａの構造がシンプルで成形しやすい。その上、部品点数も少ないため、製造が容易であるという利点もある。
【００２５】
また、装飾具１ａは、金属製なので、耐久性に優れる上、金属独特の光沢や質感による高級感が得られるため、商品としての付加価値が高い。
【００２６】
なお、上記実施形態の装飾具１ａは、装飾部３ａが本体部２ａの前面部２１に刻設されているが、装飾部３ａは、装飾具１ａをベルト通しＴに装着した時に、外部から装飾部３ａを視認できる箇所に設けられていればよい。したがって、装飾部３ａは、本体部２ａの前面部２１を含んで設けられていることが好ましいが、本体部２ａの左右側面部２３，２４のいずれか一方だけに設けられていても構わない。
【００２７】
また、装飾部３ａは、本体部２ａに凹状に刻まれた装飾模様に限られず、例えば、本体部２ａの前面に凸状に隆起させた装飾模様であってもよいし、本体部２ａの表面に、他の装飾材料、例えば、真珠、輝石、ガラス玉などを配設したものでも構わない。
【００２８】
次に、本発明にかかる第２の実施形態の装飾具１ｂについて説明する。本実施形態の装飾具１ｂは、装飾部３ｂが本体部２ｂとは別部材で構成されている。装飾部３ｂは、板状で、板の表面に装飾模様が刻設されている。そして、本体部２ｂの前面２１と装飾部３ｂの背面とが磁性体で構成されていて、磁性体の吸着力によって、装飾部３ｂを本体部２ｂに着脱可能に取り付けられるようになっている。本体部２ｂは、基本的には、第１の実施形態の本体部２ａと同じ構成であるので、同一の構成部分については、同じ符号で表し、詳細な説明を省略するものとする。
【００２９】
本実施形態の装飾具１ｂによれば、装飾部３ｂが本体部２ｂと別部材で構成されているので、本体部２ｂに取り付ける装飾部３ｂを異なるデザインのものに取り替えるだけで、装飾具１ｂの外観を容易に変更することができるという利点がある。
【００３０】
なお、装飾部３ｂは、板状のものに限られず、例えば、立体形状であっても構わない。また、本実施形態の装飾具１ｂは、装飾部３ｂが本体部２ｂに対して着脱可能に構成されているが、このような構造に限定されるものでなく、例えば、スポット溶接などによって、装飾部３ｂが本体部２ｂに固着されていても構わない。
【００３１】
さらに、本発明にかかる装飾具の第３の実施形態について説明する。本実施形態の装飾具１ｃは、図７に示すように、装飾部３ｃが本体部２ｂとは別部材で構成されており、本体部２ｃの前面２１にスライドレール５が形成されているとともに、装飾部３ｃの背面に前記スライドレール５に嵌合可能な嵌合溝６が形成されている。また、本体部２ｃのスライドレール５の表面には、装飾部３ｃが本体部２ｃから抜け落ちないように、突起部７が形成されており、装飾部３ｃの下端部には、前記突起部７に係合する係合溝８が形成されている。なお、本体部２ｂにおいて、第１の実施形態の本体部２ａと同一の構成部分については、同じ符号で表し、詳細な説明を省略するものとする。
【００３２】
本実施形態の装飾具１ｃによれば、本体部２ｃのスライドレール５に装飾部３ｃの嵌合溝６を嵌合させることにより、装飾部３ｃを本体部２ｃに着脱可能に取り付けられるようになっている。したがって、本実施形態の装飾具１ｃによれば、本体部２ｃに取り付ける装飾部３ｃを異なるデザインのものに取り替えるだけで、装飾具１ｃの外観を容易に変更することができるという利点がある。
【００３３】
なお、本発明にかかる装飾具は、当然ながら、上記実施形態に限定されるものではない。したがって、例えば、狭幅部４１，４１の傾斜角度は、約２４度に限られることなく、ベルト通しＴのベルト挿通部分のねじれ方向に合致しやすいように、適宜、設計変更しても構わないが、好ましくは、２０度〜３０度の範囲である。
また、一方の狭幅部４１と他方の狭幅部４１は、それぞれ異なる角度で設けられていてもよく、例えば、一方の狭幅部４１の傾斜角度を２０度として、他方の狭幅部４１の傾斜角度を３０度としても構わない。
【００３４】
また、本体部２ａ〜２ｃの形状は、内部にベルト通しＴを挿通可能な空間を有する略筒状に形成されていればよい。したがって、例えば、平面視において矩形状、楕円形状あるいは半円形状などに形成されていても構わない。
【００３５】
さらに、第１の突出部２５の先端部２５１は、広幅部４２の幅方向中心線Ｌを超えていてもよい。このようにすれば、本体部２ａ〜２ｃの長さ方向一端側の第１の突出部２５と、長さ方向他端側の第１の突出部２５とが、本体部２ａ〜２ｃの幅方向にオーバーラップして配置されるため、より効果的に装飾具１ａ〜１ｃの脱落を防止することができる。
【００３６】
また、広幅部４２を臨む端縁部２９，２９の形状は、本体部２ａの長さ方向に平行な直線状に限られず、例えば、波形に形成されていてもよいし、端縁部２９，２９の一部が、広幅部４２の幅方向中心線Ｌに向かって膨出していても構わない。
このようにすれば、より確実に、装飾具１ａ〜１ｃの脱落を防止することができる。
【００３７】
また、本発明にかかる装飾具は、金属製に限られず、ベルト通しＴに装着することができ、ベルト通しＴに装着した状態でその形状を保持できる強度を備えていれば、他の材料で形成されていてもよい。他の材料としては、例えば、合成樹脂、陶器、木材、紙材、皮革などが挙げられる。また、これらの材料を適宜組み合わせて形成してもよい。
組み合わせの一例としては、合成樹脂製の基材の表面に金属めっきをしたものが挙げられる。
また、装飾具の原材料として合成樹脂材料を用いた場合は、金属材料に比べて材料コストが低い上、射出成形などによって大量生産できるため、廉価に提供できる。また、装飾具自体が軽量で取り扱い易いという利点もある。
【００３８】
さらに、装飾具の材料が、弾性変形可能なものである場合には、狭幅部４１，４１を拡開させてベルト通しＴに本体部を装着させることができるので、多少、幅寸法の合わないベルト通しに対しても、装飾具を容易に装着することができるという利点がある。
【図面の簡単な説明】
【００３９】
【図１】本発明にかかる第１の実施形態の装飾具１ａの背面図である。
【図２】図１に示す装飾具１ａの正面図である。
【図３】図１に示す装飾具１ａの底面図である。
【図４】図１に示す装飾具１ａの使用例を示す説明図である。
【図５】（ａ）図１に示す装飾具１ａをベルト通しＴに取り付けるときにベルト通しＴのねじり方向の一例を示す説明図である。（ｂ）図１に示す装飾具１ａをベルト通しＴに取り付けるときのベルト通しＴのねじり方向の他の例を示す説明図である。
【図６】本発明にかかる第２の実施形態の装飾具１ｂを示す外観斜視図である。
【図７】本発明にかかる第３の実施形態の装飾具１ｃを示す外観斜視図である。
【符号の説明】
【００４０】
１ａ  装飾具
１ｂ  装飾具
１ｃ  装飾具
２ａ  本体部
２ｂ  本体部
２ｃ  本体部
３ａ  装飾部
３ｂ  装飾部
３ｃ  装飾部
４    装着用開口部
４１  狭幅部
４２  広幅部
【図１】
2008161454.tif 000003
【図２】
2008161454.tif 000004
【図３】
2008161454.tif 000005
【図４】
2008161454.tif 000006
【図５】
2008161454.tif 000007
【図６】
2008161454.tif 000008
【図７】
2008161454.tif 000009